(57)【要約】【課題】各部材間の接続部における密閉性を向上させることができるフェイスシールド、及び保護具を提供する。【解決手段】フェイスシールド（１）は、ヘルメットに装着されるフェイスシールドであって、面状部材（１０）と、枠体（２０）と、第１シール部材（３０）と、第２シール部材（４０）と、一体のカバー部材（５０）とを備える。面状部材は、装着者の顔面に対向配置される。枠体は、面状部材の外周部（１０ａ）に接続される内周部（２０ａ）を有し、面状部材を支持する。第１シール部材は、枠体に接続する第１接続部（３０ａ）を有し、枠体とヘルメットとの隙間をシールする。第２シール部材は、枠体に接続する第２接続部（４０ａ）を有し、枠体と装着者の顔との隙間をシールする。カバー部材は、面状部材の外周部と枠体の内周部との繋ぎ目、第１接続部と枠体との繋ぎ目、及び第２接続部と枠体との繋ぎ目のうちの少なくとも２つを覆う。【選択図】図１
2019085669.tif 000002
【特許請求の範囲】
【請求項１】
ヘルメットに装着されるフェイスシールドであって、
装着者の顔面に対向配置される面状部材と、
前記面状部材の外周部に接続される内周部を有し、前記面状部材を支持する枠体と、
前記枠体に接続する第１接続部を有し、前記枠体と前記ヘルメットとの隙間をシールする第１シール部材と、
前記枠体に接続する第２接続部を有し、前記枠体と前記装着者の顔との隙間をシールする第２シール部材と、
前記面状部材の前記外周部と前記枠体の前記内周部との繋ぎ目、前記第１接続部と前記枠体との繋ぎ目、及び前記第２接続部と前記枠体との繋ぎ目のうちの少なくとも２つを覆う一体のカバー部材
を備えるフェイスシールド。
【請求項２】
前記枠体の前記内周部に装着され、前記面状部材の前記外周部と前記枠体の前記内周部との隙間をシールする第３シール部材を更に備える請求項１に記載のフェイスシールド。
【請求項３】
前記枠体は、前記第１シール部材の前記第１接続部に接続される凹状の第１被接続部を備える請求項１又は請求項２に記載のフェイスシールド。
【請求項４】
前記枠体は、前記第２シール部材の前記第２接続部に接続される凹状の第２被接続部を備える請求項１から請求項３のいずれか１項に記載のフェイスシールド。
【請求項５】
請求項１から請求項４のいずれか１項に記載のフェイスシールドと、ヘルメットとを備える保護具。
【発明の詳細な説明】
【技術分野】
【０００１】
本発明は、フェイスシールド、及びフェイスシールドを備えた保護具に関するものである。
【背景技術】
【０００２】
溶接作業時などに装着される保護具として、特許文献１には、ヘルメットと、フェイスシールドとを備えた保護具が記載されている。特許文献１に記載の保護具においては、フェイスシールドは、透明な面状部材と、面状部材を支持する枠体と、枠体に装着されるシール部材とを備えている。シール部材は、枠体とヘルメットとの隙間、及び枠体と装着者の顔との隙間をシールする。面状部材及びシール部材は、交換できるように、枠体に対して着脱可能に設けられている。
【先行技術文献】
【特許文献】
【０００３】
【特許文献１】特表２００２−５０５８９５号公報
【発明の概要】
【発明が解決しようとする課題】
【０００４】
しかしながら、特許文献１に記載の保護具においては、面状部材及びシール部材が枠体に対して着脱可能であるために、面状部材と枠体との接続部、又はシール部材と枠体との接続部に隙間が生じやすい。したがって、特許文献１に記載の保護具においては、各部材間の接続部を通して、人体に有害な溶接ヒュームや粉塵及び飛来物がフェイスシールドの内側に侵入することが考えられる。すなわち、特許文献１に記載の保護具においては、各部材間の接続部において、十分な密閉性を確保できないおそれがある。
【０００５】
本発明は上記課題に鑑みてなされたものであり、その目的は、各部材間の接続部における密閉性を向上させることができるフェイスシールド、及び保護具を提供することにある。
【課題を解決するための手段】
【０００６】
本願に開示するフェイスシールドは、ヘルメットに装着されるフェイスシールドであって、面状部材と、枠体と、第１シール部材と、第２シール部材と、一体のカバー部材とを備える。前記面状部材は、装着者の顔面に対向配置される。前記枠体は、前記面状部材の外周部に接続される内周部を有し、前記面状部材を支持する。前記第１シール部材は、前記枠体に接続する第１接続部を有し、前記枠体と前記ヘルメットとの隙間をシールする。前記第２シール部材は、前記枠体に接続する第２接続部を有し、前記枠体と前記装着者の顔との隙間をシールする。前記カバー部材は、前記面状部材の前記外周部と前記枠体の前記内周部との繋ぎ目、前記第１接続部と前記枠体との繋ぎ目、及び前記第２接続部と前記枠体との繋ぎ目のうちの少なくとも２つを覆う。
【０００７】
また、本願に開示するフェイスシールドは、前記枠体の前記内周部に装着され、前記面状部材の前記外周部と前記枠体の前記内周部との隙間をシールする第３シール部材を更に備える。
【０００８】
本願に開示するフェイスシールドにおいて、前記枠体は、前記第１シール部材の前記第１接続部に接続される凹状の第１被接続部を有する。
【０００９】
本願に開示するフェイスシールドにおいて、前記枠体は、前記第２シール部材の前記第２接続部に接続される凹状の第２被接続部を有する。
【００１０】
本願に開示する保護具は、上記に記載のフェイスシールドと、ヘルメットとを備える。
【発明の効果】
【００１１】
本発明のフェイスシールド、及び保護具によれば、カバー部材によって、面状部材と枠体との繋ぎ目、第１シール部材と枠体との繋ぎ目、及び第２シール部材と枠体との繋ぎ目のうちの少なくとも２つが覆われるので、各部材間の接続部における密閉性を向上させることができる。
【図面の簡単な説明】
【００１２】
【図１】実施形態に係るフェイスシールド１を示す斜視図である。
【図２】実施形態に係る保護具２を示す分解斜視図である。
【図３】実施形態に係るフェイスシールド１を示す背面図である。
【図４】保護具２の使用状態の一例を示す斜視図である。
【図５】実施形態に係る枠体２０を示す斜視図である。
【図６】図３におけるＡ−Ａ線断面図である。
【図７】図６におけるα領域の拡大図である。
【図８】図６におけるβ領域の拡大図である。
【発明を実施するための形態】
【００１３】
以下、本発明の実施形態に係るフェイスシールド及び保護具を図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この実施形態に限定されるものではない。また、説明中の「上」、「下」、「前」、「後」、「左」、「右」は、装着者の頭部を基準に決めている。すなわち、頭頂部側を「上」、顎側を「下」、顔面側を「前」、後頭部側を「後」、顔面の右側を「右」、顔面の左側を「左」と示す。
【００１４】
〈実施形態〉
［基本原理］
図１〜図３を参照して、本発明の実施形態に係るフェイスシールド及び保護具の基本原理を説明する。図１は、実施形態に係るフェイスシールド１を示す斜視図である。図２は、実施形態に係る保護具２を示す分解斜視図である。図３は、実施形態に係るフェイスシールド１を示す背面図である。
【００１５】
図１に示すように、フェイスシールド１は、レンズ１０と、枠体２０と、上側シール部材３０と、下側シール部材４０と、カバー部材５０とを備えている。レンズ１０、カバー部材５０は透明である。また、フェイスシールド１は、左右一対の連結具６０と、前側シール部材７０とを備えている。
【００１６】
図２に示すように、保護具２は、フェイスシールド１と、ヘルメット３とを備えている。フェイスシールド１は、連結具６０によって、ヘルメット３に着脱可能に装着される。ヘルメット３は、ダクト４に接続するダクト接続部３ａと、連結具６０に連結される受金具３ｂとを備える。ダクト４は、図示しないブロアに接続されており、当該ブロアからヘルメット３に空気５を供給する。ヘルメット３に供給された空気５は、図示しない給送経路を通してフェイスシールド１の内側に給送される。
【００１７】
レンズ１０は、図１及び図２に示すように、装着者の顔面に対向配置される面状部材である。装着者とは、フェイスシールド１又は保護具２を装着する人をいう。レンズ１０は、可撓性を有する透明板材から形成されており、装着者は、レンズ１０を通して、作業対象物を視認可能である。レンズ１０の左右両端部には、レンズ１０を枠体２０に係止する係止爪１１が２つずつ形成されている。レンズ１０は、透明性、耐熱性、耐衝撃性に優れた樹脂、例えばポリカーボネートから形成される。
【００１８】
枠体２０は、図１及び図２に示すように、レンズ１０の外周部１０ａに接続される内周部２０ａを有し、レンズ１０を支持する。枠体２０は、装着者の顔の輪郭に対応する外形を有する。具体的には、枠体２０の内周部２０ａと、レンズ１０の外周部１０ａとは、全周に亘って重なり合っている。また、枠体２０は、上部２１と、左右一対の側部２２と、下部２３とを備える。上部２１は、装着者の額の前方に位置する。側部２２は、装着者の頬の側方に位置する。下部２３は、装着者の顎の周囲に位置する。枠体２０は、低比重、かつ高強度の樹脂、例えばポリプロピレンから形成される。
【００１９】
枠体２０の上部２１には、上側留孔２０ｄが形成され、枠体２０の下部２３には、下側留孔２０ｅが形成されている。上側留孔２０ｄ及び下側留孔２０ｅは、カバー部材５０を枠体２０に留めるための孔である。
【００２０】
枠体２０の左右の側部２２には、レンズ１０の左右端部から略Ｌ字状に突出した係止爪１１が挿入されるスリット２２ａが２つずつ形成されている。また、左右の側部２２には、係止爪１１に係合される被係合部２２ｂが２つずつ形成されている。被係合部２２ｂは、側部２２の内側面から突出するように、側部２２に形成されている。係止爪１１は、スリット２２ａを通して枠体２０の内側に差し込まれ、被係合部２２ｂに係合される。
【００２１】
上側シール部材３０は、図１及び図２に示すように、枠体２０に接続する第１接続部３０ａを有し、枠体２０とヘルメット３との隙間をシールする。上側シール部材３０は、枠体２０に着脱自在である。具体的には、第１接続部３０ａは、上側シール部材３０を枠体２０の上部２１に接続する。上側シール部材３０は、枠体２０の上部２１とヘルメット３の前部との隙間をシールする。ヘルメット３の前部とは、ヘルメット３において、前後方向の中央より前側の部分である。上側シール部材３０は、弾性樹脂、例えばシリコーンゴム、合成ゴム、熱可塑性エラストマーから形成される。実施形態における上側シール部材３０が、特許請求の範囲における第１シール部材に対応している。
【００２２】
下側シール部材４０は、図１及び図２に示すように、枠体２０に接続する第２接続部４０ａを有し、枠体２０と装着者の顔との隙間をシールする。下側シール部材４０は、枠体２０に着脱自在であり、図３に示すように、Ｕ字形状を成すように、枠体２０に装着される。具体的には、第２接続部４０ａは、下側シール部材４０を枠体２０の側部２２及び下部２３に接続する。下側シール部材４０は、枠体２０の側部２２と、装着者のこめかみ、頬との隙間、並びに、枠体２０の下部２３と、装着者の顎との隙間をシールする。下側シール部材４０は、弾性樹脂、例えばシリコーンゴム、合成ゴム、熱可塑性エラストマーから形成される。実施形態における下側シール部材４０が、特許請求の範囲における第２シール部材に対応している。
【００２３】
カバー部材５０は、図１及び図２に示すように、レンズ１０の外周部１０ａと枠体２０の内周部２０ａとの繋ぎ目Ｊ１、第１接続部３０ａと枠体２０との繋ぎ目Ｊ２、及び第２接続部４０ａと枠体２０との繋ぎ目Ｊ３のうちの少なくとも２つを覆う一体の部材である。具体的には、カバー部材５０は、枠体２０の外形に対応する形状の薄板部材であり、枠体２０を前側からすっぽりと覆う。カバー部材５０は、耐熱性、及び耐衝撃性に優れた樹脂、例えばポリカーボネートから形成される。なお、実施形態では、カバー部材５０は、繋ぎ目Ｊ１〜繋ぎ目Ｊ３を全て覆っている。
【００２４】
また、図２に示すように、カバー部材５０には、上側留具５１及び下側留具５２が付属される。上側留具５１は、枠体２０の上部２１にカバー部材５０を係止する。下側留具５２は、枠体２０の下部２３にカバー部材５０を係止する。上側留具５１は、上部２１の外側面に垂直な回転軸の周りに回転可能に取り付けられる。下側留具５２は、下部２３の外側面に垂直な回転軸の周りに回転可能に取り付けられる。上側留具５１、下側留具５２の詳細については、図６〜図８を参照して後述する。
【００２５】
［連結具６０］
次に、図１及び図４を参照して、連結具６０を詳細に説明する。図４は、保護具２の使用状態の一例を示す斜視図である。連結具６０は、図１及び図４に示すように、金属製のアーム６１と、雄金具６２とを備える。アーム６１は、一端側で枠体２０に固定され、他端側で雄金具６２を支持する。雄金具６２は、アーム６１に回動可能に支持され、ヘルメット３に取り付けられた受金具３ｂに差し込まれる。雄金具６２に対してアーム６１が回動することによって、フェイスシールド１は、レンズ１０が装着者の顔面に対向する第１位置（図２参照）と、レンズ１０が装着者の顔面に対向しない第２位置（図４参照）との間で旋回可能である。
【００２６】
［前側シール部材７０］
次に、図１及び図２を参照して、前側シール部材７０を詳細に説明する。前側シール部材７０は、枠体２０の内周部２０ａに装着され、レンズ１０の外周部１０ａと枠体２０の内周部２０ａとの隙間をシールする。具体的には、前側シール部材７０は、環状であり、内周部２０ａの外側面に貼り付けられる。レンズ１０の外周部１０ａは、前側シール部材７０を介して、枠体２０の内周部２０ａと重なっている。前側シール部材７０は、弾性樹脂、例えばポリウレタン、塩化ビニル、シリコーンゴム又は合成ゴム形成体もしくは弾性樹脂、例えばポリウレタン、EVA、ポリエチレン、シリコーンゴム、合成ゴムの発泡体から構成される。実施形態における前側シール部材７０が、特許請求の範囲における第３シール部材に対応している。
【００２７】
［枠体２０］
次に、図５を参照して、枠体２０を詳細に説明する。図５は、実施形態に係る枠体２０を示す斜視図である。
【００２８】
図５に示すように、枠体２０は、上側シール部材３０の第１接続部３０ａに接続される凹状の第１被接続部２０ｂを備える。すなわち、枠体２０の上部２１において、第１被接続部２０ｂの外側面と、第１被接続部２０ｂに隣接する隣接部２１ａの外側面との間には段差２１ｂがあり、第１被接続部２０ｂの外側面は、隣接部２１ａの外側面より低くなっている。また、第１被接続部２０ｂには、１又は複数の第１係止孔２０ｆが形成されている。１又は複数の第１係止孔２０ｆは、第１被接続部２０ｂを厚み方向に貫通している。
【００２９】
また、図５に示すように、枠体２０は、下側シール部材４０の第２接続部４０ａに接続される凹状の第２被接続部２０ｃを備える。すなわち、枠体２０の側部２２及び下部２３において、第２被接続部２０ｃの外側面と、第２被接続部２０ｃに隣接する隣接部２２ｃの外側面との間には段差２２ｄがあり、第２被接続部２０ｃの外側面は、隣接部２２ｃの外側面より低くなっている。また、第２被接続部２０ｃには、１又は複数の第２係止孔２０ｇが形成されている。１又は複数の第２係止孔２０ｇは、第２被接続部２０ｃを厚み方向に貫通している。
【００３０】
［上側シール部材３０、下側シール部材４０］
次に、図６〜図８を参照して、上側シール部材３０及び下側シール部材４０を詳細に説明する。図６は、図３におけるＡ−Ａ線断面図である。図７は、図６におけるα領域の拡大図である。図８は、図６におけるβ領域の拡大図である。
【００３１】
図６及び図７に示すように、上側シール部材３０は、第１接続部３０ａの内側面から突出する第１凸部３０ｂを有している。第１凸部３０ｂは、第１接続部３０ａに一体的に形成されている。第１凸部３０ｂは、第１係止孔２０ｆに挿通され、上側シール部材３０を枠体２０に係止する。
【００３２】
図６及び図８に示すように、下側シール部材４０は、第２接続部４０ａの内側面から突出する第２凸部４０ｂを有している。第２凸部４０ｂは、第２接続部４０ａに一体的に形成されている。第２凸部４０ｂは、第２係止孔２０ｇに挿通され、下側シール部材４０を枠体２０に係止する。
【００３３】
［上側留具５１、下側留具５２］
次に、図６〜図８を参照して、上側留具５１及び下側留具５２を詳細に説明する。上側留具５１は、図６、図７に示すように、上側留孔２０ｄに挿通される軸部５１ａを有している。軸部５１ａの先端部には、留片５１ｂが形成されている。留片５１ｂは、長板状であり、図７において、紙面に対して垂直な方向に延びている。留片５１ｂは、上側留孔２０ｄを通して、枠体２０の外側から内側に差し込まれる。留片５１ｂが枠体２０の内側に差し込まれた状態で上側留具５１が略９０度回転されることによって、留片５１ｂが枠体２０と係合し、カバー部材５０が枠体２０に係止される。また、下側留具５２は、図６、図８に示すように、下側留孔２０ｅに挿通される軸部５２ａを有している。図８に示すように、軸部５２ａの先端部には、留片５２ｂが形成されている。留片５２ｂは、長板状であり、図８において、紙面に対して垂直な方向に延びている。留片５２ｂは、下側留孔２０ｅを通して、枠体２０の外側から内側に差し込まれる。留片５２ｂが枠体２０の内側に差し込まれた状態で下側留具５２が略９０度回転されることによって、留片５２ｂが枠体２０と係合し、カバー部材５０が枠体２０に係止される。
【００３４】
以上、図１〜図８を参照して説明したように、本実施形態によれば、カバー部材５０は、レンズ１０の外周部１０ａと枠体２０の内周部２０ａとの繋ぎ目Ｊ１、第１接続部３０ａと枠体２０との繋ぎ目Ｊ２、及び第２接続部４０ａと枠体２０との繋ぎ目Ｊ３のうちの少なくとも２つを覆っている。したがって、繋ぎ目Ｊ１、繋ぎ目Ｊ２、繋ぎ目Ｊ３を通して粉塵がフェイスシールド１の内側に侵入することを抑制でき、各部材の接続部における密閉性を向上させることができる。また、本実施形態によれば、カバー部材５０は一体物であり、部品点数を低減でき、カバー部材５０をフェイスシールド１に組み付ける組付作業の工数を低減でき、部品管理を容易化できる。
【００３５】
また、本実施形態によれば、フェイスシールド１は、レンズ１０の外周部１０ａと枠体２０の内周部２０ａとの隙間をシールする前側シール部材７０を更に備える。従って、レンズ１０、枠体２０といった、比較的に硬い部材間で生じやすい大きな隙間をシールすることができ、各部材の接続部における密閉性を更に向上できる。
【００３６】
また、本実施形態によれば、枠体２０は、上側シール部材３０の第１接続部３０ａに接続される凹状の第１被接続部２０ｂを備える。従って、第１接続部３０ａが枠体２０の外側面から大きく突出することを防止でき、フェイスシールド１の外観を向上させることができる。
【００３７】
また、本実施形態によれば、枠体２０は、下側シール部材４０の第２接続部４０ａに接続される凹状の第２被接続部２０ｃを備える。従って、第２接続部４０ａが枠体２０の外側面から大きく突出することを防止でき、フェイスシールド１の外観を向上させることができる。
【００３８】
以上、図面（図１〜図８）を参照しながら本発明の実施形態を説明した。但し、本発明は、上記の実施形態に限られるものではなく、その要旨を逸脱しない範囲で種々の態様において実施することが可能である（例えば、下記に示す（１））。
【００３９】
（１）図１、図２を参照して説明したように、実施形態では、枠体２０は、レンズ１０を支持しているが、これに限らず、枠体２０は、内周部２０ａに接続する外周部を有し、作業対象物を視認可能な面状部材であれば、どのような面状部材を支持してもよい。例えば、枠体２０は、遮光プレートを備える溶接面を支持してもよい。また、レンズ１０は無色透明に限らず、有色透明であってもよく、さらに装着者の目に対向する部分のみ無色透明、有色透明又は透光性を有する半透明として他の部分を遮光性を有する不透明とすることもできる。また、カバー部材５０は、無色透明に限らず、有色透明であってもよく、半透明でもよく、不透明でもよい。
【００４０】
本願は、更に以下の付記を開示する。なお、以下の付記は、本発明を限定するものではない。
【００４１】
（付記１）本願に開示するフェイスシールドにおいて、前記第１被接続部（２０ｂ）は、１又は複数の第１係止孔（２０ｆ）を有し、前記第１接続部（３０ａ）は、前記１又は複数の第１係止孔（２０ｆ）に挿通され、前記第１シール部材（３０）を前記枠体（２０）に着脱可能に係止する１又は複数の第１凸部（３０ｂ）を備える。
【００４２】
この構成によれば、第１凸部（３０ｂ）を第１係止孔（２０ｆ）に抜き差しするだけで、第１シール部材（３０）を枠体（２０）に着脱できる。従って、第１シール部材（３０）の交換を容易にできる。
【００４３】
（付記２）本願に開示するフェイスシールドにおいて、前記第１凸部（３０ｂ）は、第１シール部材（３０）に一体的に形成されている。この構成によれば、リベット又はスナップボタンなどの別部材である締結具を使用することなく、第１シール部材（３０）を枠体（２０）に係止することができ、部品点数を低減できる。従って、フェイスシールド１の製造、管理を容易にすることができる。
【００４４】
（付記３）本願に開示するフェイスシールドにおいて、前記第２被接続部（２０ｃ）は、１又は複数の第２係止孔（２０ｇ）を有し、前記第２接続部（４０ａ）は、前記１又は複数の第２係止孔（２０ｇ）に挿通され、前記第２シール部材（４０）を前記枠体（２０）に着脱可能に係止する１又は複数の第２凸部（４０ｂ）を備える。
【００４５】
この構成によれば、第２凸部（４０ｂ）を第２係止孔（２０ｇ）に抜き差しするだけで、第２シール部材（４０）を枠体（２０）に着脱できる。従って、第２シール部材（４０）の交換を容易にできる。
【００４６】
（付記４）本願に開示するフェイスシールドにおいて、前記第２凸部（４０ｂ）は、第２シール部材（４０）に一体的に形成されている。この構成によれば、リベット又はスナップボタンなどの別部材である締結具を使用することなく、第２シール部材（４０）を枠体（２０）に係止することができ、部品点数を低減できる。従って、フェイスシールド１の製造、管理を容易にすることができる。
【符号の説明】
【００４７】
Ｊ１…繋ぎ目
Ｊ２…繋ぎ目
Ｊ３…繋ぎ目
１…フェイスシールド
２…保護具
３…ヘルメット
１０…レンズ（面状部材）
１０ａ…外周部
２０…枠体
２０ａ…内周部
２０ｂ…第１被接続部
２０ｃ…第２被接続部
３０…上側シール部材（第１シール部材）
３０ａ…第１接続部
４０…下側シール部材（第２シール部材）
４０ａ…第２接続部
５０…カバー部材
７０…前側シール部材（第３シール部材）
【図１】
2019085669.tif 000003
【図２】
2019085669.tif 000004
【図３】
2019085669.tif 000005
【図４】
2019085669.tif 000006
【図５】
2019085669.tif 000007
【図６】
2019085669.tif 000008
【図７】
2019085669.tif 000009
【図８】
2019085669.tif 000010